(57)【要約】【課題】集合住宅の水平方向に設けられた廊下又は鉛直方向に設けられた階段に後付けでエレベータのかご室昇降路の隔壁構造物の軽量化と構築工事の簡略化を図る。【解決手段】かご室昇降路の四隅に該当する位置に配した縦鋼材３と、隣接する縦鋼材同士を互いに連結する横鋼材４とを組み合わせた鉄骨枠組５の外面に外装パネル１０を貼り付けて隔壁分割ユニットＵ１，Ｕ２を構成し、隔壁分割ユニットを基礎地盤２の上に複数段積み重ね、最上層の隔壁分割ユニットＵ１の上面に屋根１１を取り付けて構築するとともに、基礎地盤２に固定された水平な鋼板３１と最下層の隔壁分割ユニットＵ２の縦鋼材３とを溶接して、隔壁分割ユニットＵ２を基礎地盤２に固定し、隔壁分割ユニットＵ２の縦鋼材３の上端面に固着された水平な鋼板３１と隔壁分割ユニットＵ１の縦鋼材３とを溶接して、隔壁分割ユニットＵ２と隔壁分割ユニットＵ１とを連結する。【選択図】図３
0003123656.tif 000002
【実用新案登録請求の範囲】
【請求項１】
水平方向に設けられた廊下又は鉛直方向に設けられた階段に併設する集合住宅用後付けエレベータのかご室昇降路の隔壁構造物において、
かご室昇降路の四隅に該当する位置に配した縦鋼材と、隣接する縦鋼材同士を互いに連結する横鋼材とを組み合わせてなる鉄骨枠組の外面に外装パネルを貼り付けて隔壁分割ユニットを構成し、この隔壁分割ユニットを基礎地盤の上に複数段積み重ね、最上層の隔壁分割ユニットの上面に屋根を取り付けて構築されるものであり、
基礎地盤に固定された水平な鋼板に対し、最下層の隔壁分割ユニットの縦鋼材の下端部を突き当て、前記鋼板と最下層の隔壁分割ユニットの縦鋼材とを溶接することによって、最下層の隔壁分割ユニットを基礎地盤に固定することを特徴とする集合住宅用後付けエレベータのかご室昇降路の隔壁構造物。
【請求項２】
水平方向に設けられた廊下又は鉛直方向に設けられた階段に併設する集合住宅用後付けエレベータのかご室昇降路の隔壁構造物において、
かご室昇降路の四隅に該当する位置に配した縦鋼材と、隣接する縦鋼材同士を互いに連結する横鋼材とを組み合わせてなる鉄骨枠組の外面に外装パネルを貼り付けて隔壁分割ユニットを構成し、この隔壁分割ユニットを基礎地盤の上に複数段積み重ね、最上層の隔壁分割ユニットの上面に屋根を取り付けて構築されるものであり、
下層側の隔壁分割ユニットの縦鋼材の上端面に固着された水平な鋼板に対し、上層側の隔壁分割ユニットの縦鋼材の下端部を突き当て、前記鋼板と上層側の隔壁分割ユニットの縦鋼材とを溶接することによって、下層側の隔壁分割ユニットと上層側の隔壁分割ユニットとを連結することを特徴とする集合住宅用後付けエレベータのかご室昇降路の隔壁構造物。
【請求項３】
隔壁分割ユニットの縦鋼材をＨ型鋼とし、上層側の隔壁分割ユニットの縦鋼材の下端部に、Ｈの字の横画部分を下縁側から切り欠いた切り欠き部を設けた請求項２に記載の集合住宅用後付けエレベータのかご室昇降路の隔壁構造物。
【請求項４】
水平方向に設けられた廊下又は鉛直方向に設けられた階段に併設する集合住宅用後付けエレベータのかご室昇降路の隔壁構造物において、
かご室昇降路の四隅に該当する位置に配した縦鋼材と、隣接する縦鋼材同士を互いに連結する横鋼材とを組み合わせてなる鉄骨枠組の外面に外装パネルを貼り付けて隔壁分割ユニットを構成し、この隔壁分割ユニットを基礎地盤の上に複数段積み重ね、最上層の隔壁分割ユニットの上面に屋根を取り付けて構築されるものであり、
前記屋根は、一方向に傾斜するように設けられ、少なくとも傾斜の上位側の最外側が外装パネルよりも内側に位置するものとし、屋根よりも外側に位置する外装パネルの上に雨よけカバーを取り付け、その雨よけカバーの内側端を屋根の上まで延設したこと特徴とする集合住宅用後付けエレベータのかご室昇降路の隔壁構造物。
【考案の詳細な説明】
【技術分野】
【０００１】
この考案は、エレベータが設置されていない既設の集合住宅に、エレベータを簡易に設置するための集合住宅用後付けエレベータのかご室昇降路の隔壁構造物に関する。
【背景技術】
【０００２】
４階建てや５階建ての中層集合住宅はエレベータが設置されていないことが多く、特に上層階の居住者にとって階段の昇り降りが大きな負担となっていた。そこで、本件出願人は、既設の中層集合住宅にエレベータを簡易に設置することを目的として、基礎地盤上に平面形状ほぼコ字形のコンクリートブロックを廊下又は階段の方に開口して複数積み重ねることにより集合住宅用後付けエレベータのかご室昇降路の隔壁構造物（以下、「隔壁構造物」とする）を構築する技術を開発した。この構築技術によれば、既設住宅を解体や改築することなく、比較的簡単な作業で短期間に隔壁構造物を構築できる。
【特許文献１】特許第３１６８３３７号公報
【考案の開示】
【考案が解決しようとする課題】
【０００３】
しかしながら、上記従来技術による隔壁構造物は、コンクリート造りで重量が大きいので、しっかりとした基礎地盤を必要とし、多くの場合、既存の基礎地盤では不十分なため新たに基礎工事を行わねばならないという問題点があった。また、構築現場での作業は短期間である反面、構築現場以外で予めコンクリートブロックを成形する作業を必要とするとともに、成形された大重量のコンクリートブロックを運搬するのに多大なコストと労力を要するという問題点があった。
【０００４】
そこで、隔壁構造物の軽量化を図るために、Ｈ型鋼等の鋼材で組まれた鉄骨枠組の外面に外装パネルを貼り付けて隔壁構造物を構築することを試みた。その場合、鉄骨枠組を複数段に分割し、その分割された各鉄骨枠組の外面に予め外装パネルを貼り付けて隔壁分割ユニットとしておけば、現場では各段の隔壁分割ユニットを基礎地盤の上に順に積み重ね、最上層の隔壁分割ユニットの上に屋根を取り付けるだけですむので、現場での作業が簡略化される。このようにして隔壁構造物を構築するには、最下層の隔壁分割ユニットをどのようにして基礎地盤に固定するか、また隔壁分割ユニット同士をどのように連結するか、屋根をどのように取り付けるかということが課題となる。
【課題を解決するための手段】
【０００５】
この課題に対し、本考案は次に示す技術的手段を講じた。すなわち、本考案に係る隔壁構造物は、水平方向に設けられた廊下又は鉛直方向に設けられた階段に併設する隔壁構造物において、かご室昇降路の四隅に該当する位置に配した縦鋼材と、隣接する縦鋼材同士を互いに連結する横鋼材とを組み合わせてなる鉄骨枠組の外面に外装パネルを貼り付けて隔壁分割ユニットを構成し、この隔壁分割ユニットを基礎地盤の上に複数段積み重ね、最上層の隔壁分割ユニットの上面に屋根を取り付けて構築されるものである。この隔壁構造物にあって、基礎地盤に固定された水平な鋼板に対し、最下層の隔壁分割ユニットの縦鋼材の下端部を突き当て、前記鋼板と最下層の隔壁分割ユニットの縦鋼材とを溶接することによって、最下層の隔壁分割ユニットを基礎地盤に固定することを特徴としている。
【０００６】
また、下層側の隔壁分割ユニットの縦鋼材の上端面に固着された水平な鋼板に対し、上層側の隔壁分割ユニットの縦鋼材の下端部を突き当て、前記鋼板と上層側の隔壁分割ユニットの縦鋼材とを溶接することによって、下層側の隔壁分割ユニットと上層側の隔壁分割ユニットとを連結することを特徴としている。
【０００７】
さらに、前記屋根は、一方向に傾斜するように設けられ、少なくとも傾斜の上位側の最外側が外装パネルよりも内側に位置するものとし、屋根よりも外側に位置する外装パネルの上に雨よけカバーを取り付け、その雨よけカバーの内側端を屋根の上まで延設したことを特徴としている。
【０００８】
この隔壁構造物は、次のようにして構築する。
まず、基礎地盤の上に最下層の隔壁分割ユニットを設置し、基礎地盤に固定された水平な鋼板に対し、最下層の隔壁分割ユニットの縦鋼材の下端部を突き当て、前記鋼板と最下層の隔壁分割ユニットの縦鋼材とを溶接して、最下層の隔壁分割ユニットを基礎地盤に固定する。この作業は、現場では溶接を行うだけですむので、短時間で容易に行うことができる。
【０００９】
次に、最下層（下層側）の隔壁分割ユニットの上に、下から２層目（上層側）の隔壁分割ユニットを設置し、最下層の隔壁分割ユニットの縦鋼材の上端面に固着された水平な鋼板に対し、２層目の隔壁分割ユニットの縦鋼材の下端部を突き当て、前記鋼板と２層目の隔壁分割ユニットの縦鋼材とを溶接して、最下層の隔壁分割ユニットと２層目の隔壁分割ユニットとを連結する。隔壁分割ユニットを３層以上積み重ねる場合は、上記同様に、下層側の隔壁分割ユニットの上に上層側の隔壁分割ユニットを積み重ね、両者を固定する。これらの作業も、現場では溶接を行うだけですむので、短時間で容易に行うことができる。
【００１０】
上記最下層の隔壁分割ユニットと２層目の隔壁分割ユニットとの連結において、隔壁分割ユニットの縦鋼材をＨ型鋼とし、上層側の隔壁分割ユニットの縦鋼材の下端部に、Ｈの字の横画部分を下縁側から切り欠いた切り欠き部を設けておくと良い。
【００１１】
前記切り欠き部を設けておくと、縦鋼材の横画部分を挟む反対側から、切り欠き部に溶接器具を挿通させて、下層側の隔壁分割ユニットの鋼板と上層側の隔壁分割ユニットの縦鋼材におけるＨの字の縦画部分との溶接を行うことができる。したがって、作業者が鉄骨枠組の内側に身体を位置させたままで、下層側の隔壁分割ユニットと上層側の隔壁分割ユニットとの連結作業における全ての溶接作業を行うことができ、作業が安全であり、かつ作業能率の向上が図れる。
【００１２】
最後に、最上層の隔壁分割ユニットの上に屋根を取り付ける。前記屋根における少なくとも傾斜の上位側の最外側が外装パネルよりも内側に位置するので、最上層の隔壁分割ユニットの外側に足場を組むことなく、容易に屋根の取付作業を行うことができる。屋根よりも外側に位置する外装パネルは、雨よけカバーにより雨よけされる。
【００１３】
この隔壁構造物は、主に鉄骨枠組とその外面を覆う外装パネルとからなり、コンクリートを使用しないので、全体に軽量である。このため、本格的な基礎地盤が施工されていない場所にも、簡単な基礎工事を施すだけで構築することができる。また、水平な基礎地盤の上に最下層の隔壁分割ブロックを設置することができるので、基礎地盤の施工が容易になり、その分、工期の短縮、コストダウンが図れる。
【考案の効果】
【００１４】
上記のように本考案にかかる集合住宅用後付けエレベータのかご室昇降路の隔壁構造物は、鉄骨枠組構造で軽量であるので、簡単な基礎工事だけで構築することができ、また複数の隔壁分割ユニットを基礎地盤の上に複数段積み重ね、最上層の隔壁分割ユニットの上面に屋根を取り付ける構築方法で構築されるので、現場での作業が簡略であり、しかも最下層の隔壁分割ユニットの基礎地盤への固定、隔壁分割ユニット同士の連結、および屋根の取付が容易であるので、短い工期で容易に構築できる。このため、既存の集合住宅に後付けでエレベータを設置する場合、特に大掛かりな基礎地盤を行えない場合、入居者が入居したまま工事を行なわなければならない場合、工期の条件に制限がある場合等に、きわめて有効なものとなった。
【考案を実施するための最良の形態】
【００１５】
以下、５階建て集合住宅の鉛直方向に設けられた階段２０にエレベータのかご室昇降路の隔壁構造物を併設する例（図８）と、５階建て集合住宅の水平方向に設けられた廊下２１に同隔壁構造物を併設する例（図１０）とに基づき、本考案を具体的に説明する。
【実施例１】
【００１６】
図１は階段に併設された隔壁構造物の一部を省略して表示した側面断面図、図２はＳ−Ｓ断面図である。まず、この隔壁構造物１Ａが併設される階段について説明すると、この階段２０は、各階の玄関先を結んで側面視ジグザグに折り返す形態になっており、上層階と下層階との中間折り返し部に踊場２０ａが建物の外側に向けて設けられている。この集合住宅は５階建てであるから、踊場２０ａは１階と２階の間、２階と３階の間、３階と４階の間、及び４階と５階の間にそれぞれ存在している。これら全ての踊場２０ａでエレベータに乗降できるようにすることも可能であるが、１階と２階の間の踊場２０ａにエレベータを停止させてもメリットが少ないので、ここでは、地上部、２階と３階の間の踊場２０ａ（１）、３階と４階の間の踊場２０ａ（２）、及び４階と５階の間の踊場２０ａ（３）の計４か所でエレベータに乗降できるようにする。
【００１７】
隔壁構造物１Ａは、図３に示すように、基礎地盤２の上に二つの隔壁分割ユニットＵ１，Ｕ２を積み重ねて設置し、その上に屋根１１を取り付けて構築される。両隔壁分割ユニットＵ１，Ｕ２の内部に形成される四角柱状の空間部が、エレベータのかご室昇降路６及びかご室を昇降させる機械室７となる。
【００１８】
両隔壁分割ユニットＵ１，Ｕ２は、図４（ａ），（ｂ）にそれぞれ示す鉄骨枠組５，５を備えている。この鉄骨枠組５は、かご室昇降路の四隅の位置に対応して配置された４本の鉛直方向のＨ型鋼製縦鋼材３，…と、該縦鋼材の隣接するもの同士を連結する水平方向のＨ型鋼製横鋼材４，…とで主枠組を構成し、その主枠組の階段側にＨ型鋼を組み合わせて形成されたコ字形枠８を一体に取り付けたものである。縦鋼材３，…は、図２に示すように、隣接するもの同士が互いに９０ずつ向きが異なるように配置されている。このため、各縦鋼材３，…が曲げや捩れに対する強度的な弱点を互いに補償し合い、鉄骨枠組５が剛性の高い構造となっている。なお、下層側隔壁分割ユニットＵ１の縦鋼材３，…の上端部には水平な鋼板３１，…が固着されている。また、上層側隔壁分割ユニットＵ２の鉄骨枠組５の最上部には、エレベータのかご室を吊り下げ支持するためのフレーム５ａが設けられている。
【００１９】
上層側の隔壁分割ユニットＵ１にはコ字形枠８が３段設けられており、最上段のコ字形枠８の取付位置は鉄骨枠組５の上端の高さとされ、上から２段目のコ字形枠８の取付位置は4階と5階の間の踊場２０ａ（３）の高さとされ、３段目のコ字形枠８の取付位置は３階と４階の間の踊場２０ａ（２）の高さとされている。また、下層側の隔壁分割ユニットＵ２にはコ字形枠８が1段だけ設けられ、その取付位置は２階と３階の間の踊場２０ａ（１）の高さとされている。なお、各段の横鋼材４も、最上位のものを除き、前記踊場２０ａの高さに合わせて設けられている。
【００２０】
上記鉄骨枠組５の外面には、外装パネル１０，…が貼り付けられる。その際、最上位のものを除く各コ字形枠８，…に対応して、廊下２０側を向くかご室乗降口９を開けておく。また、同コ字形枠８，…の上には、床板１２，…が取り付けられる。
【００２１】
次に、この隔壁分割ユニットＵ１，Ｕ２を用いた隔壁構造物１Ａの構築方法を説明する。
最初に、エレベータ設置箇所に穴Ｈを掘り、その穴Ｈの底面にコンクリートで平坦な基礎地盤２を施工する。その際、図５に示すように、かご室昇降路の四隅に該当する所定位置にアンカーボルト３０を埋設しておく。そして、アンカーボルト３０の位置に合わせて基礎地盤２の上に鋼板３１を敷設し、該鋼板をアンカーボルト３０とナット３２で固定する。
【００２２】
基礎地盤２の上に下層側の隔壁分割ユニットＵ２を設置する。このとき、前記鋼板３１の上面に縦鋼材３の下端部が突き当てられるようにし、鋼板３１と縦部材３とを溶接Ｗする。その後、外装パネル１０が貼り付けられていない鉄骨枠組５の下端部の周囲をモルタルＭで塗り固め、前記穴Ｈを埋め戻す。
【００２３】
次いで、下層側の隔壁分割ユニットＵ２の上に上層側の隔壁分割ユニットＵ１を設置する。この場合も、基礎地盤２に下層側の隔壁分割ユニットＵ２を設置する場合と同様に、下層側の隔壁分割ユニットＵ２の鋼板３１の上面に上層側の隔壁分割ユニットＵ１の縦鋼材３，…の下端部を突き当て、鋼板３１と縦部材３とを溶接Ｗする。
【００２４】
ところで、上層側の隔壁分割ユニットＵ１の縦鋼材３，…の下端部には、図６に示すように、Ｈ型鋼におけるＨの字の横画部分３ａを下縁側から切り欠いた切り欠き部３３が形成されている。このため、鉄骨枠組５の内側から、切り欠き部３３に溶接器具を挿通させて、前記縦鋼材３の横画部分３ａを挟んで外側に位置する、鋼板３１と縦鋼材３におけるＨの字の縦画部分３ｂとの溶接箇所の溶接Ｗを行うことができる。この鋼板３１と縦鋼材３におけるＨの字の縦画部分３ｂとの溶接箇所の溶接が終了後、鉄骨枠組５の内側から切り欠き部３３を塞ぐように鋼板３４を当て、この鋼板３４を縦鋼材３に溶接する。このように、縦鋼材３に切り欠き部３３を設けることにより、作業者が鉄骨枠組５の内側に身体を位置させたままで、下層側の隔壁分割ユニットＵ２と上層側の隔壁分割ユニットＵ１との連結作業における全ての溶接作業を行うことができ、作業が安全であり、かつ作業能率の向上が図れる。
【００２５】
最後に、上層側の隔壁分割ユニットＵ１の上に屋根１１を取り付ける。この実施例では、屋根１１は折板が用いられ、その溝方向に勾配がつくように傾斜して設けられている。傾斜の高位側の端縁は外装パネル１０よりも内側に位置するようになっており、外装パネル１０の上に被せた雨よけカバー３５の内側端が屋根１１の上まで延設されている。このように、屋根１１を外装パネル１０の内側に嵌め込む構造とすると、屋根取付作業を外装パネル１０の外側から行わなくてもよいので、安全であり、また足場等を組む必要がなく、低コストかつ短時間で行える。
【００２６】
このようにして完成した隔壁構造物１Ａの内部は、かご室昇降路６と機械室７として使用される。かご室昇降路６内にはかご室６ａが配備され、機械室７にはかご室昇降用機械７ａが設置される。
【００２７】
また、かご室乗降口９には、スライド開閉する扉（図示せず）が取り付けられる。床板１２の上面は、モルタル、タイル等で仕上げられる。ここは、かご室乗降口９と踊場２０ａ（１，２，３）とを架け渡しする通路となる。踊場２０ａ（１，２，３）の外側隔壁２０ｂは撤去され、該踊場と通路の床板１２との隙間に鋼板１３が載せられる。通路の両側には、防雨スクリーン１４と手摺り１５とが取り付けられる。また、地上部のかご室乗降口９の両側にも、防雨スクリーン１４が取り付けられる。
【００２８】
この隔壁構造物１Ａは、ほとんど鉄骨枠組５と外装パネル１０，…とだけで構成されているので、軽量である。このため、大掛かりが基礎地盤を必要とせず、簡単な基礎工事ですむ。基礎地盤２は上面を平坦に仕上げればよいので、基礎工事が短時間で行える。場合によっては、既存集合住宅の基礎地盤を利用することもできる。また、隔壁構造物１Ａの構築工事自体についても、基礎地盤２の上に二つの隔壁分割ユニットＵ２，Ｕ１を積み重ねて設置し、その上に屋根１１を取り付けるだけであるので、非常に簡単で、しかも短時間で行うことができる。
【実施例２】
【００２９】
図９は廊下に併設された隔壁構造物を表わしている。この隔壁構造物１Ｂも、前記隔壁構造物１Ａと同様に、基礎地盤２の上に二つの隔壁分割ユニットＵ２，Ｕ１を積み重ねて設置し、その上に屋根１１を取り付けて構築される。４段のコ字枠８，…が２〜５階の各廊下２１の床面と同じ高さに設けられ、地上部及び２〜５階の各廊下２１に対応してかご室乗降口９が設けられている。そして、コ字枠８，…の上に作られる通路によって、各階の廊下２１とそれに対応するかご室乗降口９とが架け渡しされている。これ以外の構造は隔壁構造物１Ａの場合と同じであるので、説明を省略する。
【産業上の利用可能性】
【００３０】
上記実施例では、隔壁構造物１Ａ，１Ｂいずれについても、二つの隔壁分割ユニットを積み重ねる構成としたが、３つ以上の隔壁分割ユニットを積み重ねて隔壁構造物を構築するようにしてもよい。
また、本考案によるエレベータのかご室昇降路の隔壁構造物は、集合住宅の鉛直方向に設けられた階段２０にも水平方向に設けられた廊下２１にも容易に併設することができる。実施例１，２は本考案の一例にすぎず、これとは形態の異なる階段や廊下にも併設可能である。また、本考案は、集合住宅に限らず、事務所、工場、店舗等のあらゆる建物に適用できる。
【図面の簡単な説明】
【００３１】
【図１】集合住宅用後付けエレベータのかご室昇降路の隔壁構造物の一部を省略して表示した側面断面図である。（実施例１）。
【図２】図１のＳ−Ｓ断面図である。（実施例１）
【図３】隔壁構造物を分解して表示した斜視図である。（実施例１）
【図４】（ａ）上層側隔壁分割ユニットの鉄骨枠組の斜視図、及び（ｂ）下層側隔壁分割ユニットの鉄骨枠組の斜視図である。（実施例１）
【図５】（ａ）基礎地盤と下層側隔壁分割ユニットの縦鋼材との固定部の側面図、及び（ｂ）その平面図である。
【図６】（ａ）下層側隔壁分割ユニットの縦鋼材と上層側隔壁分割ユニットの縦鋼材との連結部の側面図、及び（ｂ）その平面図である。
【図７】（ａ）屋根取付部の側面図、及び（ｂ）その平面図である。
【図８】実施例１の隔壁構造物が設置された集合住宅の斜視図である。
【図９】集合住宅用後付けエレベータのかご室昇降路の隔壁構造物の一部を省略して表示した側面断面図である。（実施例２）。
【図１０】実施例２の隔壁構造物が設置された集合住宅の斜視図である。
【符号の説明】
【００３２】
１Ａ，１Ｂ  隔壁構造物
２  基礎地盤
３  縦鋼材
４  横鋼材
５  鉄骨枠組
６  エレベータのかご室昇降路
７  機械室
８  コ字枠
１０  外装パネル
２０  階段
２１  廊下
３０  アンカーボルト
３１  鋼板
３３  切り欠き部
３５  雨よけカバー
【図１】
0003123656.tif 000003
【図２】
0003123656.tif 000004
【図３】
0003123656.tif 000005
【図４】
0003123656.tif 000006
【図５】
0003123656.tif 000007
【図６】
0003123656.tif 000008
【図７】
0003123656.tif 000009
【図８】
0003123656.tif 000010
【図９】
0003123656.tif 000011
【図１０】
0003123656.tif 000012